(57)【特許請求の範囲】
【請求項１】
ＮＭＲスペクトルから情報を抽出する方法であって、
ａ）少なくとも１種の構成成分からなる被検試料について、前記被検試料に関する、複数のサブセットからなる、信号化された情報を含む、第１のＮＭＲスペクトルを供する工程と、
ｂ）既知の濃度の、少なくとも１種の構成成分からなる較正試料について、前記較正試料に関する情報を含む、第２のＮＭＲスペクトルを供する工程と、
ｃ）前記較正試料についての前記情報と、前記較正試料の少なくとも１種の成分の濃度との、相互依存関係を表す換算係数を計算する工程と、
ｄ）前記第１のＮＭＲスペクトルに、前記換算係数をかけあわせる工程と、
ｅ）前記工程ｄ）の後に、前記第１のＮＭＲスペクトルにおける、信号化された情報の少なくとも一つのサブセットについて、信号化された情報の第１のサブセットを信号化された情報の第２のサブセットから明瞭に区別しうるかどうかの指標となる有効値を計算し、該有効値をその有効値を計算した情報のサブセットに割り当てる工程とを含み、
前記有効値を計算する工程が、
・所定のライン幅、所定のライン形状、及び隣接ラインからの所定の距離からなる群より選択される少なくとも１つからなる、試験用評価基準を決定するステップと、
・前記試験用評価基準を前記被検試料の前記ＮＭＲスペクトルの少なくとも１つのＮＭＲラインに適用するステップと、
・前記被検試料の前記ＮＭＲスペクトルの少なくとも１つのＮＭＲラインがどれだけ正確に前記試験用評価基準に適合するかを判別するステップとからなる、
方法。
【請求項２】
請求項１に記載の方法において、前記試料の情報のサブセットのリストを作成する工程をさらに含み、該リストには、前記有効値の形で、前記情報のサブセットの各々に関する定性値と、前記試料の少なくとも一種の構成成分の濃度の指標となる信号化された情報の各サブセットの定量値とが含まれることを特徴とする方法。
【請求項３】
請求項１または２に記載の方法において、前記定量値がＳＩ単位の濃度値であることを特徴とする方法。
【請求項４】
請求項１〜３のいずれかに記載の方法において、前記試料の前記少なくとも１種の成分は、前記第１のＮＭＲスペクトルの取得時には、未同定の成分であることを特徴とする方法。
【請求項５】
請求項１〜４のいずれかに記載の方法において、前記試料の前記少なくとも１種の成分を同定し、該同定された成分を、前記試料の情報の少なくとも１つのサブセットに当てはめる工程をさらに有することを特徴とする方法。
【請求項６】
請求項１〜５のいずれかに記載の方法において、前記試料の前記少なくとも１種の成分が、前記第１のＮＭＲスペクトル取得時には濃度が未知の成分であることを特徴とする方法。
【請求項７】
請求項１〜６のいずれかに記載の方法において、前記第１のＮＭＲスペクトル及び前記第２のＮＭＲスペクトルが同一のＮＭＲ装置で得られたものであることを特徴とする方法。
【請求項８】
ＮＭＲ測定方法であって、
ａ）少なくとも一つの成分について濃度が決定されて既知である較正試料について、所定の設定条件のＮＭＲ装置を使用してＮＭＲ測定を行い、較正用のＮＭＲスペクトルを得る工程と、
ｂ）前記較正用ＮＭＲスペクトルを得た際と同じ設定条件で、前記ＮＭＲ装置を使用し、被検試料のＮＭＲ測定を行って、被検試料のＮＭＲスペクトルを得る工程と、
ｃ）複数の被検試料について、前記方法工程を繰り返す工程とを有し、
ｄ）前記較正試料の情報と、前記較正試料の少なくとも１つの成分の濃度の相互依存関係を示す換算係数を一度計算する工程と、
ｅ）試料の各ＮＭＲスペクトルについて、
ｉ）試料の個々のＮＭＲスペクトルに前記換算係数を掛けあわせるステップと、
ｉｉ）ステップｉ）の後、試料の個々のＮＭＲスペクトルにおける、信号化された情報の少なくとも一つのサブセットについて、信号化された情報の第１のサブセットを信号化された情報の第２のサブセットから明瞭に区別しうるかどうかの指標となる有効値を計算するステップと、
ｉｉｉ）該有効値をその有効値を計算した情報のサブセットに割り当てるステップと、
を実施する工程を含み、
前記有効値を計算するステップは、
・所定のライン幅、所定のライン形状、及び隣接ラインからの所定の距離からなる群より選択される少なくとも１つからなる、試験用評価基準を決定するステップと、
・前記試験用評価基準を前記ＮＭＲスペクトルの少なくとも１つのＮＭＲラインに適用するステップと、
・前記ＮＭＲスペクトルの少なくとも１つのＮＭＲラインがどれだけ正確に前記試験用評価基準に適合するかを判別するステップとからなる、
方法。
【請求項９】
請求項８に記載のＮＭＲ測定法であって、
最初の被検試料のＮＭＲスペクトルを得る前に、少なくとも一種の成分の濃度が決定されて既知である第１のコントロール試料について、前記較正試料のＮＭＲスペクトルを取得する際と同じ設定条件で前記ＮＭＲ装置を使用してＮＭＲ測定を行い、第１のコントロール試料のＮＭＲスペクトルを得る工程を実施し、
最後の被検試料のＮＭＲスペクトルを得た後に、少なくとも一種の成分の濃度が決定されて既知である第２のコントロール試料について、前記較正試料のＮＭＲスペクトルを取得する際と同じ設定条件で前記ＮＭＲ装置を使用してＮＭＲ測定を行い、第２のコントロール試料のＮＭＲスペクトルを得る工程を実施する、
ことを特徴とする方法。
【請求項１０】
請求項９に記載のＮＭＲ測定法において、前記第１のコントロール試料と前記第２のコントロール試料のうち少なくとも１つは、前記較正試料と同一の組成を有することを特徴とするＮＭＲ測定方法。
【発明の詳細な説明】
【技術分野】
【０００１】
本発明は、請求項１の前文に係る、ＮＭＲ測定の結果に信号として含まれる情報を抽出するための方法、及び請求項１２の前文に係る、前記の情報抽出方法を使用したＮＭＲ測定法に関する。
【背景技術】
【０００２】
ＮＭＲ測定の結果から、隠された（信号化された）情報を抽出する作業は、今日でも挑戦すべき課題として残されている。従来の方法は、多くの場合、ＮＭＲ測定の結果をＮＭＲスペクトルの形で図示することに基づいており、ＮＭＲスペクトルは、スペクトルの評価に長い経験を有する当業者によって評価される。これによって当業者は、ＮＭＲスペクトルに観察されるラインのいずれが、特定の物質に帰結し得るものかを判断することができる。その際、しばしば、事前に取得された純物質のＮＭＲスペクトルとの対比が行われる。
【０００３】
また、従来技術によると、ＮＭＲスペクトルに観察されるラインのいずれを、信頼に足る「良好な」ラインであると見做し得るかを判定することも、経験を積んだ当業者の作業にかかっている。このように、ＮＭＲ測定の結果を適切に評価するためには、人の手に係るべき工程が多く、その工程のほとんどは、経験の豊富な当業者の個人的技量に依存している。
【先行技術文献】
【特許文献】
【０００４】
【特許文献１】欧州特許出願公開第２２７０５３０号明細書
【発明の概要】
【発明が解決しようとする課題】
【０００５】
本発明は、ＮＭＲ測定の結果に信号として含まれる情報（encoded information）を自動的に抽出する方法を提供することを目的とする。
【課題を解決するための手段】
【０００６】
上記の目的は、請求項１に記載された特徴を備えた方法により達成される。前記のＮＭＲ測定の結果に信号として含まれる情報を抽出する方法は、かかる情報の自動抽出を可能とするものであり、以下に説明する工程を含むものである。第１の工程では、被検試料のＮＭＲ測定による第１の測定結果が提供される。被検試料は、少なくとも１種の成分（構成物）を含む。被検試料は、例えば、血液、尿、脳脊髄液などの体液試料でもよいが、本方法は、体液試料から得られる情報を抽出する方法に限定されるものではない。
【０００７】
第１の測定結果は被検試料についての信号化情報（信号化された形の情報）を含んでいる。ここから、信号化された情報をいくつかのサブセット（部分信号群）に分割することができる。
【０００８】
第２工程では、較正試料のＮＭＲ測定に関する第２の結果が提供される。較正試料は、少なくとも１種の成分を既知の濃度で含むものである。第２の測定結果は、較正試料とその成分についての情報を信号化された形で含むものである。
【０００９】
第１の工程を第２の工程の前に行ってもよいことに留意すべきである。あるいは、第２の工程を第１工程の前に行ってもよい。本明細書に記載された方法を実施するにあたり、これらの工程に特定の順序は必要としない。
【００１０】
第２の測定結果が得られた後、換算係数が計算される。この換算係数は、較正試料の信号化された情報と、較正試料の少なくとも１種の成分の濃度の相互依存関係を示すものである。ＮＭＲ測定装置の装置仕様は、較正試料に関する信号化情報の固有部分として、第二の測定結果に含まれているので、この換算係数は、装置の仕様を示すものである。
【００１１】
次いで、計算された換算係数は、第１の測定結果の信号化された情報に適用される。これは第１の測定結果（測定値）に、換算係数を乗算することにより達成される。このように、換算係数は、第一の測定結果を数値化し、換算係数に含まれるＮＭＲ測定装置の仕様を考慮に入れて、第一の結果を標準化し、該換算係数を用いて検討または補正を行なうための係数とみなすことができる。
【００１２】
次いで、第１の測定結果の信号化された情報の一部または全てについて、有効値が計算される。そのため、信号化された情報は、別々のサブセットに分割される。サブセットは信号化された情報から任意に選択された部分であってよく、例えば、試料の少なくとも一種の成分の、プロトン信号の、特定グループ（群）に関する部分であってもよい。
【００１３】
有効値は、信号化された情報の第１のサブセットを、第２のサブセットと区別する際の適正を表す数値である。すなわち、異なると見做されるサブセット相互が、明瞭に区別し得るものであるか否かが、有効値によって示される。第１のサブセットがプロトン信号の第１のグループに関係し、第２のサブセットがプロトン信号の第２のグループに関係する場合、この方法工程によって、有効値を第一のサブセットにあてはめ、第二のサブセットからの差異ないし区分特性を示すことができる。
【００１４】
最後に、有効値は、それが計算された被検対象の、信号化された情報のサブセットに当てられる。最終的結果は、第１の測定結果に信号化されている試料情報の個々のサブセットを表し、個々の有効値は、情報の個々のサブセットに割り当てられる。このようにして、すべてのサブセットを集積することにより、第１の測定結果に信号化された情報全体、または第１の結果に信号化された情報の一部を構成することができる。
【００１５】
別の言い方をすれば、有効値は、第１の結果から抽出可能な試料情報の尺度（基準）となる。有効値は、フィッティング操作後に、互いに重畳しない、２つの曲線下の面積の違いを示すものではない。むしろ、有効値は、特定の問題に対する数学的解法が適切に選択されているか、あるいは、別の数学的解法による場合と同程度に良好であるのかを示すものである。解法が適切に選択されていれば、高い有効値が得られる。他に同程度に良好、またはやや悪い程度の解法があれば、有効値は低くなる。エネルギー地形に含まれる問題（個々の情報の分離）に関し、すべての解法を考えることができるとすれば、有効値は、選択された解法によって、すなわち、第１の測定結果に信号化された情報の特定部分を、情報の特定サブセットに該当させることによって、エネルギー地形の極小値または最小値が得られるかどうかの基準であると見ることができる。
【００１６】
したがって、有効値は、関連する情報サブセットの信頼性及び重要性を示す尺度である。
【００１７】
一実施形態において、前記方法は試料の情報のサブセットのリストを作成する工程を、さらに含む。このリストは、例えば、数値リストであってもよく、定量されたスペクトルの形式で図示されるものであってもよい。サブセットのリストは各サブセット情報の、定性的な値を含む。この定性的な値とは、事前に計算された有効値である。さらに、リストは、信号化された情報の各サブセットについての定量値を含む。この定量値は、試料の少なくとも１種の成分の内、１つの濃度を示し、そのＮＭＲ信号は、対象の信号化された情報のサブセットの一部を、直接的または間接的に構成する。第１の結果に信号化されている情報に関する既存の情報サブセットを含める必要はない。むしろこのリストは、第１の結果に信号化されている全情報の一部のみを含むものであってもよい。
【００１８】
一実施形態において、被検試料に関する情報及び／または較正試料に関する情報は、ＮＭＲ測定結果の取得に影響した作業環境の少なくとも一つに関する情報を固有に含む。その作業環境上の条件は、特に、ｐＨ、温度、モル浸透圧濃度、ＮＭＲ磁場安定性、及びＮＭＲ検知器安定性からなる群から選択される。
【００１９】
一実施形態において、測定者は、このような作業環境の影響の最小化を図ることなく、むしろ環境上の影響をそのまま測定してもよい。被検試料測定時と較正試料測定時において、作業環境の影響が同じであると仮定すると、作業環境の影響の効果は、第１の結果と第２の結果において同じであると考えられる。そこで、換算係数は、それを第１の結果に適用する際に、作業環境の影響を自動的に反映する。そのため、換算係数を用いることによって、作業環境の影響は相殺され、別に作業環境の影響を検討する必要はない。
【００２０】
一実施形態において、ｐＨ、温度及びモル浸透圧濃度などの試料の特性は、被検試料及び較正試料において同一である。
【００２１】
一実施形態において、試料の少なくとも一種の成分の、個々の成分の濃度を示す定量値は、ＳＩ単位系で示される濃度である。例えば、ＳＩ濃度単位としては、ｍｏｌ／ｌ，ｍｍｏｌ／ｌ，ｎｍｏｌ／ｌ及びｐｍｏｌ／ｌなどが適当である。
【００２２】
一実施形態において、有意な（良好な）有効値を、有意ではない（不良）有効値と区別するため、閾値が定義される。一実施形態において、信号化された情報の個々のサブセットが閾値を越える有効値を持つ場合には、第一の結果の成分特有の信号に対応する有意な有効値であると考慮される。有効値が所定の閾値を下回る場合には、情報の各サブセットは、第一の結果の特性の成分に特有のものではないと考えられる。
【００２３】
一実施形態において、被検試料の前記少なくとも一つの成分が、何であるかは、第１の測定結果が取得される際には、未知である。従って、第１の結果におけるこの成分の情報を、第１の結果に含まれる他の情報から有効に分離することが可能であるか否かを確認する前に、この成分を同定する必要はない。従って、ここで記載の方法を実施するにあたり、物質の同定は全く必要としない。
【００２４】
一実施形態において、本明細書に記載された方法は、被検試料の少なくとも１種類の成分を同定し、同定された成分を被検試料の情報のサブセットの少なくとも１つに該当させる工程をさらに含む。これを行うにあたり、成分Ａ、成分Ｂなどの包括的な名前を使用する代わりに、試料の構成成分の少なくともいくつかの明確な名前を使用してもよい。
【００２５】
通常、測定者は、試料を構成する各種成分の濃度が未知の状態で、被検試料のＮＭＲ分析を行い、第一の結果を取得する。よって、一実施形態において、前記少なくとも一つの成分の濃度は、第一の結果を取得する際には未知であってもよい。そのため、ここで記載する方法は、ほとんどすべての試料分析に適用することができる。但し、前記少なくとも一つの成分の濃度が、試料のＮＭＲ分析を実施する者または第一の結果を評価する者にとって既知であったとしても、方法を実施する上での差しさわりはない。
【００２６】
一実施形態において、第一の結果は、測定された自由誘導減衰（ＦＩＤ）か、観測されたＮＭＲ信号のリストである。したがって、ここで記載された方法を実施するにあたり、ＮＭＲスペクトルを取得するために、ＦＩＤをフーリエ変換する必要はない。むしろ、ＮＭＲスペクトルは、手作業でＮＭＲ分析を行う上で必要な補助図形であると考えられる。ここで記載の方法は、ＮＭＲスペクトルに良好に適用することができるが、いなかるスペクトルも取得することなく、何らかの別の形で、取得・供給されたＮＭＲ測定結果を用いて実施することもできる。
【００２７】
一実施形態において、第１の測定結果は試料のＮＭＲスペクトルであり、有効値を計算する工程はいくつかの下位工程により実施される。これらの下位工程はａ）試験用評価基準を定義する工程、ｂ）前記試験用評価基準を試料のＮＭＲスペクトルの少なくとも１つのＮＭＲラインに適用する工程、及びｃ）前記試料のＮＭＲスペクトルの少なくとも１つのＮＭＲラインが、試験用評価基準にいかに正確に適合しているかを判定する工程からなる。これは、ＮＭＲラインの品質または良好性が、通常、所定の試験用評価基準によってではなく、ＮＭＲ測定またはＮＭＲデータ評価を行う者個人の技量と経験に基づき、判定されてきた従来技術とは対照的である。従って、本実施形態は、典型的なＮＭＲスペクトルをＮＭＲ測定結果として扱うべき場合に、本明細書に記載の方法を自動的に適用することを可能とする。
【００２８】
一実施形態において、定義され、使用される試験用評価基準は、ラインの幅、ラインの形、隣接するラインとの距離からなる群から選択される少なくとも１つである。
【００２９】
一実施形態において、第１の測定結果及び第２の測定結果は、同一のＮＭＲ装置で得られる。これによって、本実施形態では、第１の測定結果及び第２の測定結果に対するＮＭＲ装置の影響が同じとなり、その数値化された効果は換算係数中に含まれていると期待できるので、特に容易に、測定上の、ＮＭＲ装置のいかなる影響も相殺することができる。通常、ここで記載の方法は、装置構成には依存せず、いかなる周波数で稼働するＮＭＲ装置についても実施することができるが、３００ＭＨｚ〜１ＧＨｚの範囲の周波数（例えば、４００ＭＨｚ，５００ＭＨｚ，６００ＭＨｚ，７００ＭＨｚ，７５０ＭＨｚ，８００ＭＨｚ，８５０ＭＨｚ，９００ＭＨｚまたは９５０ＭＨｚなど）が適している。
【００３０】
一つの構成において、ここで記載の発明は、請求項１２に記載の特徴を有するＮＭＲ測定法に関する。このＮＭＲ測定法は、ＮＭＲ測定結果に信号として含まれる情報を抽出する、先に説明した方法を含む。さらに、この方法は、以下に説明される工程を含む。まず、特定の設定のＮＭＲ装置を用いて、較正試料のＮＭＲ測定を実施することにより、較正用測定結果が取得される。これにより、較正試料は、少なくとも１種類の成分に関し、決定済みの既知の濃度を有することになる。ＮＭＲ分光計は、このＮＭＲ測定を実施するＮＭＲ装置として適した装置である。
【００３１】
更なる方法工程において、被検試料についての測定結果は、較正用の測定結果を取得する際と同じ装置設定を用い、同じＮＭＲ装置によって被検試料のＮＭＲ分析を行うことにより取得される。
【００３２】
最初に取得するものは、較正試料の測定結果であっても、被検試料の測定結果であってもよいが、それぞれの場合において、ＮＭＲ装置の設定には同じ設定を用いるべきである。
【００３３】
第１の被検試料の測定結果を取得した後、複数の被検試料について、試料の測定結果を取得する工程が繰り返され、複数の被検試料の測定結果が得られる。
【００３４】
もう１つの方法工程において、較正試料の測定結果に信号として含まれる較正試料の情報と、較正試料の少なくとも１種の成分の濃度との関係を示す換算係数が計算される。この換算係数は、ついで、取得された被検試料の測定結果のそれぞれに適用される。それを行う際に、試料の測定結果に、換算係数をかけ合わせてもよい。
【００３５】
その後、試料の測定結果に信号として含まれる情報の、少なくとも１つのサブセットに対する有効値が、各試料測定の結果について計算される。この有効値は、試料測定結果に信号として含まれる情報のサブセット（第１のサブセット）を別のサブセット（第２のサブセット）と分離する際の、適合性を表すもの（representative）である。
【００３６】
最後に、有効値は、その有効値を計算した対象の、信号として試料測定結果に含まれる情報のサブセットに対照される。この工程は、先に取得された各々の被検試料の測定結果に対して行われる。
【００３７】
一実施形態において、前記ＮＭＲ測定法は追加の工程を含む。これらの追加の工程の１つで、コントロール用の測定結果が取得される。これは、較正結果を取得する際と同一のＮＭＲ装置設定を用い、該ＮＭＲ装置により、第１のコントロール試料のＮＭＲ測定を実施することで達成される。これによって、第１のコントロール試料は、少なくとも１種類の成分に関し、決定された既知の濃度を有することになる。この第１のコントロール用結果を取得する工程は、第１の試料の結果を取得する前に実施される。
【００３８】
この実施形態において、ＮＭＲ測定の方法は、さらに、較正の結果を取得する際と同一のＮＭＲ装置の設定を使用したＮＭＲ装置により、第２のコントロール試料のＮＭＲ測定を実施することで第２のコントロール用結果を取得する追加の工程を含む。これにより、第２のコントロール試料は、上記と同様に、少なくとも１種類の成分に関し決定された既知の濃度を有することになる。最後の被検試料の測定結果を取得した後に、第２のコントロール試料測定結果を取得する工程が実施される。
【００３９】
一実施形態において、第１のコントロール試料測定結果を取得する工程は、較正試料の測定結果と第１の被検試料の測定結果を取得する間に実施される。したがって、ＮＭＲ測定の方法の１つの実施形態において、測定結果の取得順序は以下のようになりえる。
‐較正試料測定結果
‐コントロール試料測定結果
‐最初（第１）の被検試料の測定結果
‐中間の被検試料測定結果
‐最後の被検試料測定の結果
‐第２のコントロール試料測定の結果
【００４０】
測定結果を得る被検試料の数は制限されない。すべての被検試料測定の結果（最初と最後の試料の結果を含む）の適当な数は２〜１０００であり、特に５〜５００、特に１０〜２５０、特に２０〜１５０、特に３０〜１００、特に４０〜９５、特に５０〜９３、特に６０〜９０、特に７０〜８０である。
【００４１】
一実施形態において、較正試料と、第１のコントロール試料及び、第２のコントロール試料の内の少なくとも１つとは、同一の組成を有する。別の一実施形態において、第１のコントロール試料と第２のコントロール試料は、同一の組成を有する。これにより、較正試料及び／またはコントロール試料の作製に費やされる作業を低減しながら、なおＮＭＲ測定プロセス全体の非常に正確な較正及び、このＮＭＲ測定法を実施する間におけるＮＭＲ装置の安定性の制御を可能にしている。
【００４２】
前記の代替実施形態のいずれも、所望且つ目的にかなった方法で組み合わせることが可能である。加えて、これらの実施形態は、１つの方法についてのみ説明されていたとしても、記載された方法のいずれにも適用することが可能である。
【図面の簡単な説明】
【００４３】
【図１】本方法の実施形態により取得された測定結果を例示するものであり、各種情報のサブセットを示す表である。
【発明を実施するための形態】
【００４４】
以下、本発明の詳細な態様を、例示的な実施形態に基づき、図面を参照しながら説明する。
【００４５】
図１は、情報サブセットの表形式のリストを示し、定性値は有効値の形式で各サブセットに当てはめられる。加えて、定量値は、ｍｍｏｌ／ｌの、つまりＳＩ単位の濃度の形式で各サブセットに当てはめられる。
【００４６】
図１の例示的な実施形態において、各情報サブセットはＮＭＲスペクトルにおける特定のラインに対応し、それにより、平均化学シフトをそのサブセットに当てはめることが可能である。したがって、各サブセットは、対応するＮＭＲスペクトルにおけるこの情報サブセットに割り振られることが可能な平均化学シフトにより、特徴が決定される。しかしながら、個々の情報サブセットを区別するために、ＮＭＲの測定結果の情報をＮＭＲスペクトルに変換する必要はない。むしろ、これらの情報サブセットは、また、元となるＮＭＲ測定結果を表す他の形式で定義することもできる。
【００４７】
図１の例示的な実施形態に準ずる有効値は、０（低い有効性）〜１（高い有効性）の間の値になりえる。閾値は０．７５に規定された。０．７５を越える範囲にある有効値は、それぞれの情報サブセットを、比較される他の情報サブセットから十分に区別できることを示す。通常、有効値は、第１の情報サブセットが区別されるべき他の情報サブセットに隣接する第１の情報サブセットに対し計算される。
【００４８】
例として、情報サブセットＡの有効値は０．９０である。これにより、情報サブセットがスペクトルで表された場合において、情報サブセットＡが最も隣接する情報サブセットである情報サブセットＢから、この情報サブセットＡを十分に区別することが可能であることが示される。
【００４９】
有効値が０．７５を下回る（図１に示された情報サブセットの例には含まれない）場合、そうした情報サブセットは、最も隣接する情報サブセットから十分に区別することができない。したがって、それぞれの情報サブセットは、特定の成分または特定の濃度と関連させることに適していない。むしろ、それぞれのＮＭＲ測定の結果において容易に評価できない、やや不明瞭な、つまり漠然とした情報を示す。
【００５０】
本明細書に記載された方法は、装置に依存しない方法である。試料の成分の定量を、その成分が同定される前に行うことが可能であり、または完全に省くことが可能である。
なお本発明は、実施の態様として以下の内容を含む。
〔態様１〕
ＮＭＲ測定の結果に信号として含まれる情報を抽出する方法であって、
ａ）少なくとも１種の構成成分からなる被検試料について、前記被検試料に関する、複数のサブセットからなる、信号化された情報を含む、第１のＮＭＲ測定結果を供する工程と、
ｂ）既知の濃度の、少なくとも１種の構成成分からなる較正試料について、前記較正試料に関する信号化された情報を含む、第２のＮＭＲ測定結果を供する工程と、
ｃ）前記較正試料についての前記信号化された情報と、前記較正試料の少なくとも１種の成分の濃度との、相互依存関係を表す換算係数を計算する工程と、
ｄ）前記第１の測定結果における前記信号化された情報に、前記換算係数を適用する工程と、
ｅ）前記第１の測定結果中の信号化された情報における、信号化された情報の少なくとも一つのサブセットについて、信号化された情報の第１のサブセットを、信号化された情報の第２のサブセットと区別する際の適合性の指標となる有効値を計算する工程と、
ｆ）その有効値を計算した部分信号について、該有効値を割り当てる工程と、を含む方法。
〔態様２〕
態様１に記載の方法において、前記試料の情報のサブセットのリストを作成する工程をさらに含み、該リストには、前記有効値の形で、前記情報の各サブセットに関する定性値と、前記試料の少なくとも一種の構成成分の濃度の指標となる信号化された情報の各サブセットの定量値が含まれることを特徴とする方法。
〔態様３〕
態様１または２に記載の方法において、前記定量値がＳＩ単位の濃度値であることを特徴とする方法。
〔態様４〕
態様１〜３のいずれかに記載の方法において、前記信号化された情報の各サブセットが、前記第１の測定結果における成分固有の信号に対応して、所定の閾値を超える有効値を有することを特徴とする方法。
〔態様５〕
態様１〜４のいずれかに記載の方法において、前記試料の前記少なくとも１種の成分は、前記第１の測定結果の取得時には、未同定の成分であることを特徴とする方法。
〔態様６〕
態様１〜５のいずれかに記載の方法において、前記試料の前記少なくとも１種の成分を同定し、該同定された成分を、前記試料の少なくとも１つのサブセットに当てはめる工程をさらに有することを特徴とする方法。
〔態様７〕
態様１〜６のいずれかに記載の方法において、前記試料の前記少なくとも１種の成分が、前記第１の測定結果取得時には濃度が未知の成分であることを特徴とする方法。
〔態様８〕
態様１〜７のいずれかに記載の方法において、前記第１の結果が測定された自由誘導減衰、または観測されたＮＭＲ信号のリストであることを特徴とする方法。
〔態様９〕
態様１〜８のいずれかに記載の方法において、
前記第１の測定結果は前記試料のＮＭＲスペクトルであり、
前記有効値を計算する工程は、
試験用評価基準を定義し、該試験用評価基準を前記試料のＮＭＲスペクトルの少なくとも一つのＮＭＲラインに適用し、前記ＮＭＲスペクトルの前記少なくとも一つのＮＭＲラインがどれだけ正確に、試験用評価基準に適合するかを判定することにより行われる、
ことを特徴とする方法。
〔態様１０〕
態様９に記載の方法において、前記試験用評価基準がライン幅、ライン形状、隣接ラインからの距離からなる群から選択される少なくとも１つであることを特徴とする方法。
〔態様１１〕
態様１〜１０のいずれかに記載の方法において、前記第１の測定結果及び前記第２の測定結果が同一の前記ＮＭＲ装置で得られたものであることを特徴とする方法。
〔態様１２〕
態様１〜１１のいずれか一態様に記載の、ＮＭＲ測定の結果に信号として含まれる情報を抽出する方法を含む、ＮＭＲ測定方法であって、
少なくとも一つの成分について濃度が決定されて既知である較正試料について、所定の設定条件のＮＭＲ装置を使用してＮＭＲ測定を行い、較正用の測定結果を得る工程と、
前記較正用測定結果を得た際と同じ設定条件で、前記ＮＭＲ装置を使用し、被検試料のＮＭＲ測定を行って、被検試料測定結果を得る工程と、
複数の被検試料について、前記方法工程を繰り返す工程とを有し、
態様１に記載の方法工程ｃ）を一度実施し、測定されるＮＭＲスペクトルの各々について、態様１に記載の方法工程ｄ）からｆ）を実施し、前記試料測定の結果が第１の測定結果として用いられ、前記較正試料測定結果が第２の測定結果として使用されることを特徴とする、方法。
〔態様１３〕
態様１２に記載のＮＭＲ測定法であって、
最初の被検試料の測定結果を得る前に、少なくとも一種の成分の濃度が決定されて既知である第１のコントロール試料について、前記較正試料の測定結果を取得する際と同じ設定条件で前記ＮＭＲ装置を使用してＮＭＲ測定を行い、第１のコントロール試料測定結果を得る工程を実施し、
最後の被検試料の測定結果を得た後に、少なくとも一種の成分の濃度が決定されて既知である第２のコントロール試料について、前記較正試料の測定結果を取得する際と同じ設定条件で前記ＮＭＲ装置を使用してＮＭＲ測定を行い、第２のコントロール試料測定結果を得る工程を実施する、
ことを特徴とする方法。
〔態様１４〕
態様１２または１３に記載の方法において、前記第１のコントロール試料と前記第２のコントロール試料のうち少なくとも１つは、前記較正試料と同一の組成を有することを特徴とするＮＭＲ測定方法。
【図１】
0006346991.tif 000002